(57)【要約】【課題】菓子を持ち運ぶ紙箱に、行事特有の趣きを表現する構成を施した組立て紙箱を提供する。【解決手段】直方体形状の紙箱において、底板の後端縁に設けた後側板の上端縁に上蓋１６を設け、上蓋１６の上端縁に折り目ｐを介して第一装飾板１７、第二装飾板１８、第三装飾板１９を設け、各装飾板１７、１８、１９の背面に図柄を施し、紙箱Ａの組立ての際、開閉天板３を折り目ｂにより折り込んで紙箱Ａの上部開口部を塞ぎ、上蓋１６を開閉天板３の後方に立設させ、上蓋１６に設けた各装飾板１７、１８、１９を折り目ｐ、ｑ、ｒにより折り込んで第三装飾板１９の先端縁を開閉天板３上に載置させて各装飾板１７、１８、１９に施した図柄を前面に向け、さらに、開閉天板３上に載置した各装飾板１７、１８、１９を上蓋１６の内側に重ね、上蓋１６を各装飾板１７、１８、１９と共に折り目により開閉天板３上に起立自在に折り畳んだ。【選択図】図１
0003120192.tif 000002
【実用新案登録請求の範囲】
【請求項１】
直方体形状の組立て紙箱において、
当該紙箱の後側板の上端縁に折り目を介して上蓋を設け、当該上蓋の上端縁に折り目を介して装飾板を設け、当該装飾板の背面に図柄を施し、
当該組立て紙箱の組立ての際、上記上蓋を当該組立て紙箱の天板の後方に立設させ、当該上蓋に設けた装飾板を折り目により折り込んで当該装飾板の先端縁を上記天板上に載置させて当該装飾板に施した図柄を前面に向け、
さらに、当該天板上に載置した装飾板を上記上蓋の内側に重ね、当該上蓋を当該装飾板と共に折り目により上記天板上に起立自在に折り畳んだことを特徴とする、組立て紙箱。
【請求項２】
底板の四辺の各側板を各折り目により折り込んで底板の周囲に各側板を立設させ、前側板の上縁に設けた開閉天板で箱の上部開口部を塞ぐように形成した直方体形状の組立て紙箱において、
上記底板の後端縁に折り目を介して設けた後側板の上端縁に折り目を介して上蓋を設け、当該上蓋の上端縁に折り目を介して装飾板を設け、当該装飾板の背面に図柄を施し、
当該組立て紙箱の組立ての際、上記開閉天板を折り目により底板側に折り込んで当該紙箱の上部開口部を塞ぎ、上記上蓋を当該開閉天板の後方に立設させ、当該上蓋に設けた装飾板を折り目により折り込んで当該装飾板の先端縁を上記開閉天板上に載置させて当該装飾板に施した図柄を前面に向け、
さらに、当該開閉天板上に載置した装飾板を上記上蓋の内側に重ね、当該上蓋を当該装飾板と共に折り目により上記開閉天板上に起立自在に折り畳んだことを特徴とする、組立て紙箱。
【請求項３】
上記上蓋の上端縁に折り目を介して設けた装飾板に複数の折り目を連続して設け、当該装飾板の背面に図柄を施し、
当該組立て紙箱の組立ての際、上記開閉天板を折り目により底板側に折り込み、上記上蓋を開閉天板の後方に立設させ、当該上蓋に設けた装飾板を各折り目により階段状に折り込んで上記開閉天板上に載置させ、
さらに、当該開閉天板上に載置した装飾板を各折り目により折り畳んで上記上蓋の内側に重ね、当該上蓋を当該装飾板と共に折り目により上記開閉天板上に起立自在に折り畳んだことを特徴とする、上記請求項２に記載の組立て紙箱。
【請求項４】
上記装飾板に切り込みを入れて略山型の舌片を設け、又は上記折り目から装飾板に切り込みを入れて略山型の舌片を設け、
当該組立て紙箱の組立て時の装飾板を上記開閉天板に載置させる際、上記装飾板上の舌片を起こして立設させ、又は上記折り目を折り込んで舌片を立設させることを特徴とする、上記請求項２又は３の何れかに記載の組立て紙箱。
【請求項５】
上記装飾板の先端縁に係止片を設け、上記開閉天板上に切り込みを設け、当該組立て紙箱の組立ての際、上記開閉天板を折り目により底板側に折り込んで当該紙箱の上部開口部を塞ぎ、上記上蓋を当該開閉天板の後方に立設させ、当該上蓋に設けた装飾板を折り目により折り込んで当該装飾板の先端縁に設けた係止片を開閉天板に設けた切り込みに差し入れて係止することを特徴とする、上記請求項２、３又は４の何れかに記載の組立て紙箱。
【請求項６】
上記上蓋と装飾板の間の折り目から当該装飾板に切り込みを入れて係止片を設け、上記前側板と開閉天板の間の折り目に切り込みを設け、
当該組立て紙箱の組立ての際、上記上蓋と装飾板を重ねて上記上蓋を開閉天板上に折り畳んだ後、上記係止片を上記切り込みに差し入れて上蓋を係止することを特徴とする、上記請求項２、３、４又は５の何れかに記載の組立て紙箱。
【考案の詳細な説明】
【技術分野】
【０００１】
この考案は、菓子店等において、菓子やその他の食品等の持ち運びに使用される紙箱に関するものであって、特に、菓子の持ち運び以外にも、当該紙箱の天板上でひな祭りのひな壇などを形成して当該行事の趣きを表し、楽しめる組立て紙箱に関するものである。
【背景技術】
【０００２】
従来、洋菓子店や和菓子店においては、各種の年中行事に関連して様々な菓子を生産し販売している。例えば、クリスマスのケーキ、バレンタインディのチョコレートなどであり、また、その行事に特定の菓子と言うのでなくても、節分、ひな祭り、端午の節句、七夕、七五三など、何かしら、行事に関連して菓子を販売している。
【０００３】
この様な中、上記菓子店では、菓子を販売する際、簡単に組立てられ、保存の際にも嵩張らない紙製の組立て箱を多く使用している。そして、上記行事に関連した商品の販売の際には、行事に関連した商品であることをアピールするような工夫を紙箱に行っている。例えば、紙箱の側面等にひな祭りの絵を描いたものを使用したり、紙箱の封をするシールに「ひな祭り」と書いたものを使用したりしている。
【非特許文献１】「やないの箱型録（はこかたろぐ）」柳井紙工株式会社1993年発行
【考案の開示】
【考案が解決しようとする課題】
【０００４】
しかしながら、この様なものでは、最近では一般的であり、競争の激しい本業界では、さらに、紙箱を商品である菓子の持ち帰りだけでなく、例えば、ひな祭りの場合、おもちゃのひな壇として子供が遊ぶことが出来るようなものであったり、また、ひな祭りに限らず、行事の趣きを表現したものであって、見るだけで、気分が盛り上がるようなものであれば、消費者の購買意欲を刺激し、商品の売り上げにも貢献する。
【０００５】
そこで、この考案は、菓子を持ち運ぶ紙箱に、行事特有の趣きを表現する構成を施した組立て紙箱を提供するものである。
【課題を解決するための手段】
【０００６】
請求項１の考案は、直方体形状の組立て紙箱において、当該紙箱の後側板の上端縁に折り目を介して上蓋を設け、当該上蓋の上端縁に折り目を介して装飾板を設け、当該装飾板の背面に図柄を施し、当該組立て紙箱の組立ての際、上記上蓋を当該組立て紙箱の天板の後方に立設させ、当該上蓋に設けた装飾板を折り目により折り込んで当該装飾板の先端縁を上記天板上に載置させて当該装飾板に施した図柄を前面に向け、さらに、当該天板上に載置した装飾板を上記上蓋の内側に重ね、当該上蓋を当該装飾板と共に折り目により上記天板上に起立自在に折り畳んだ組立て紙箱とした。
【０００７】
請求項２の考案は、底板の四辺の各側板を各折り目により折り込んで底板の周囲に各側板を立設させ、前側板の上縁に設けた開閉天板で箱の上部開口部を塞ぐように形成した直方体形状の組立て紙箱において、上記底板の後端縁に折り目を介して設けた後側板の上端縁に折り目を介して上蓋を設け、当該上蓋の上端縁に折り目を介して装飾板を設け、当該装飾板の背面に図柄を施し、当該組立て紙箱の組み立ての際、上記開閉天板を折り目により底板側に折り込んで当該紙箱の上部開口部を塞ぎ、上記上蓋を当該開閉天板の後方に立設させ、当該上蓋に設けた装飾板を折り目により折り込んで当該装飾板の先端縁を上記開閉天板上に載置させて当該装飾板に施した図柄を前面に向け、さらに、当該開閉天板上に載置した装飾板を上記上蓋の内側に重ね、当該上蓋を当該装飾板と共に折り目により上記開閉天板上に起立自在に折り畳んだ組立て紙箱とした。
【０００８】
請求項３の考案は、上記上蓋の上端縁に折り目を介して設けた装飾板に複数の折り目を連続して設け、当該装飾板の背面に図柄を施し、当該組立て紙箱の組み立ての際、上記開閉天板を折り目により底板側に折り込み、上記上蓋を開閉天板の後方に立設させ、当該上蓋に設けた装飾板を各折り目により階段状に折り込んで上記開閉天板上に載置させ、さらに、当該開閉天板上に載置した装飾板を各折り目により折り畳んで上記上蓋の内側に重ね、当該上蓋を当該装飾板と共に折り目により上記開閉天板上に起立自在に折り畳んだ上記請求項２に記載の組立て紙箱とした。
【０００９】
請求項４の考案は、上記装飾板に切り込みを入れて略山型の舌片を設け、又は上記折り目から装飾板に切り込みを入れて略山型の舌片を設け、当該組立て紙箱の組み立て時の装飾板を上記開閉天板に載置させる際、上記装飾板上の舌片を起こして立設させ、又は上記折り目を折り込んで舌片を立設させる上記請求項２又は３の何れかに記載の組立て紙箱とした。
【００１０】
請求項５の考案は、上記装飾板の先端縁に係止片を設け、上記開閉天板上に切り込みを設け、当該組立て紙箱の組み立ての際、上記開閉天板を折り目により底板側に折り込んで当該紙箱の上部開口部を塞ぎ、上記上蓋を当該開閉天板の後方に立設させ、当該上蓋に設けた装飾板を折り目により折り込んで当該装飾板の先端縁に設けた係止片を開閉天板に設けた切り込みに差し入れて係止する上記請求項２、３又は４の何れかに記載の組立て紙箱とした。
【００１１】
また、請求項６の考案は、上記上蓋と装飾板の間の折り目から当該装飾板に切り込みを入れて係止片を設け、上記前側板と開閉天板の間の折り目に切り込みを設け、当該組立て紙箱の組み立ての際、上記上蓋と装飾板を重ねて上記上蓋を開閉天板上に折り畳んだ後、上記係止片を上記切り込みに差し入れて上蓋を係止する上記請求項２、３、４又は５の何れかに記載の組立て紙箱とした。
【考案の効果】
【００１２】
請求項１及び２の各考案によれば、紙箱の上蓋を開ければ、直方体形状の紙箱上に、行事等の図柄を施した装飾板が簡単に現れて当該紙箱上で行事等特有の趣きを表すようにしたので、紙箱としての意外性と共に面白さを有する。それ故、例えば、上記図柄がひな祭りのひな壇を表したものならば、おもちゃのひな壇として楽しむことも出来、また、机の上やテーブルの上などに置けば、ひな祭りの雰囲気を盛り上げてくれるものである。さらに、このひな壇を外して天板又は開閉天板を開けるとケーキ等が出てくるので二重の喜びが生じる。この様な結果、単に、菓子等を持ち運ぶ以外にも、紙箱に新たな用途を持たせることが出来、商品の売り上げにも貢献するものである。
【００１３】
請求項３の考案によれば、行事等特有の趣きを表す装飾板に複数の折り目を連続して設けたので、紙箱の上蓋を開ければ、当該装飾板を階段状に形成することが出来、例えば、ひな祭りのひな壇などを表す際には、形態が近似し、イメージし易く最適である。また、請求項４の考案によれば、行事等特有の趣きを表す装飾板上を切り欠いて山型の舌片を設け、これらを起こして立設させたので、上記趣きを表す内容を立体的に表現することが出来、当該趣きをより消費者に訴えることが出来るものである。
【００１４】
請求項５の考案によれば、上記装飾板の先端縁に係止片を設け、上記開閉天板上に切り込みを設け、開閉天板上に装飾板を載置する際、上記装飾板の係止片を開閉天板の切り込みに差し入れるようにしたので、開閉天板上の装飾板を固定することが出来、行事等特有の趣きを表す装飾板として安心出来るものである。また、請求項６の考案によれば、上蓋と装飾板を重ねて開閉天板上に折り畳んだ後、係止片を切り込みに差し入れて係止するようにしたので、上蓋を紙箱本体に確実に固定することが出来、当該上蓋が無闇に開くことがなく、紙箱として安心出来るものである。  
【考案を実施するための最良の形態】
【００１５】
底板の四辺の各側板を各折り目により折り込んで底板の周囲に各側板を立設させ、前側板の上縁に設けた開閉天板で箱の上部開口部を塞ぐように形成した直方体形状の組立て紙箱において、上記底板の後端縁に折り目を介して設けた後側板の上端縁に折り目を介して上蓋を設け、当該上蓋の上端縁に折り目を介して装飾板を設け、当該装飾板の背面に図柄を施す。
【００１６】
当該組立て紙箱の組み立ての際、上記開閉天板を折り目により底板側に折り込んで当該紙箱の上部開口部を塞ぎ、上記上蓋を当該開閉天板の後方に立設させ、当該上蓋に設けた装飾板を折り目により折り込んで当該装飾板の先端縁を上記開閉天板上に載置させて当該装飾板に施した図柄を前面に向け、さらに、当該開閉天板上に載置した装飾板を上記上蓋の内側に重ね、当該上蓋を当該装飾板と共に折り目により上記開閉天板上に起立自在に折り畳む。
【００１７】
これらにより、上蓋を開けると、菓子等を食べ終わった後でも、例えば、装飾板の図柄がひな祭りのひな壇を表したものならば、おもちゃのひな壇として楽しむことも出来、また、机の上やテーブルの上などに置けば、ひな祭りの雰囲気を盛り上げてくれる。
【実施例１】
【００１８】
次に、この発明の実施例１を図に基づいて説明する。
この発明の実施例１の組立て紙箱（以下、「紙箱Ａ」と言う。）は、図１に示すように、いわゆる、ボックスタイプと呼ばれるもので、横長の直方体形状のものを本体としたものである。
【００１９】
図２に示すのは、この紙箱Ａの展開図であり、横長の長方形状の底板１の前端縁に折り目ａを介して前側板２を設け、この前側板２の前端縁に折り目ｂを介して開閉天板３を設けている。この開閉天板３の前端縁に折り目ｃを介して細幅の折り込み片４を設け、開閉天板３の中央部には、略Ｔ字型に切り込み５を設けており、さらに、前側板２と開閉天板３の間にある折り目ｂの中央部に切り込み６を設けている。
【００２０】
また、底板１の左右の各端縁には、折り目ｄ、ｅを介して夫々左側板７、右側板８を設けており、これらの左側板７、右側板８に上記底板１の後端縁の折り目ｆの各端部から外側角部に向けて対角線折り目ｇ、ｈを夫々設けている。さらに、これらの左側板７、右側板８の左右の各端縁には折り目ｉ、ｊを介して夫々折り込み左側片９と折り込み右側片１０を設けており、また、各前端縁には折り目ｋ、ｌを介して略Ｌ字型で先端部に切り欠きによる係止部１１ａ、１２ａを設けた折り込み係止板１１、１２を夫々設けている。
【００２１】
また、上記底板１の後端縁には折り目ｆを介して後側板１３を設け、当該後側板１３の左右の各端縁には折り目ｍ、ｎを介して夫々台形状の折り込み片１４、１５を設けている。また、後側板１３の後端縁には折り目ｏを介して上蓋１６を設け、この上蓋１６の後端縁には折り目ｐを介して装飾板を設けている。
【００２２】
この装飾板は二つの折り目を連続して設けて３つに分割している。すなわち、上蓋１６の後端縁の折り目ｐを介して、前後方向の幅が上蓋１６の約半分である第一装飾板１７を設け、この第一装飾板１７の後端縁には折り目ｑを介して、さらに、細幅の第二装飾板１８を設け、この第二装飾板１８の後端縁には折り目ｒを介して、さらに、細幅の第三装飾板１９を設けている。
【００２３】
上記折り目ｐの中央部から第一装飾板１７上に略扇形状の切り込みを入れて係止片１７ａを設け、また、第二装飾板１８から折り目ｑを超えて大きく第一装飾板１７に至る個所に略Ｖ字型の切り込みを入れ、これにより形成される舌片１７ｂを二つ並設しており、さらに、折り目ｒから第二装飾板１８上に半円型に切り込みを入れて舌片１８ａを三つ並設している。また、第三装飾板１９の先端縁の中央部に係止片１９ａを突設している。
【００２４】
続いて、この紙箱Ａを組立てる。
この紙箱Ａの前側板２を除く、底板１の三辺の各側板及び各折り込み片等を各折り目により夫々内側に折り込んで底板１の周囲の各端縁に、左側板７、右側板８、及び後側板１３を立設する。そして、左側板７を外側にして左側板７と折り込み片１４とを、また、右側板８を外側にして右側板８と折り込み片１５とを夫々重ね合わせて、左側板７の内面の上部（図２において折り目ｇの上部の斜線で示す。）と折り込み片１４の外面の上部（図２において点線斜線で示す。）、及び右側板８の内面の上部（図２において折り目ｈの上部の斜線で示す。）と折り込み片１５の外面の上部（図２において点線斜線で示す。）を貼着する。
【００２５】
また、図３に示すように、左側板７及び右側板８の前端縁の折り込み係止板１１、１２を夫々折り目ｋ、ｌにより、底板１側に折り込み、夫々先端部の係止部１１ａ、１２ａを互いに掛け合わせて係止する。さらに、折り込み左側片９と折り込み右側片１０を折り目ｉ、ｊにより底板１側へ水平に夫々折り込む。
【００２６】
そして、前側板２を折り目ａにより内側に折り込んで、底板１の前端縁に立設し、さらに、図４に示すように、上記開閉天板３を折り目ｂにより底板１側に折り込み、当該紙箱Ａの上部開口部を塞ぎ、開閉天板３の折り込み片４を折り目ｃにより折り込んで、上記後側板１３と、折り込み左側片９と折り込み右側片１０の間に差し入れて係止する。
【００２７】
また、上記上蓋１６を折り目ｏで折らずに、開閉天板３の後方に立設させ、当該上蓋１６に設けた第一装飾板１７、第二装飾板１８及び第三装飾板１９を夫々折り目ｐ、ｑ、ｒにより折り込んで階段状に形成し、第三装飾板１９の先端縁に設けた係止片１９ａを開閉天板３上に設けた略Ｔ字型の切り込み５に差し入れて係止し（図４において矢印で示す）、上記装飾板を安定して立設させる。また、この時、上蓋１６と第一装飾板１７を、予め、貼着しておくと、階段状に形成し易い。
【００２８】
図１に示すように、上記折り目ｒを折り込むことにより、第二装飾板１８に設けられた三つの各舌片１８ａに、予め、描かれた「三人官女」が立設する。また、第一装飾板１７と第二装飾板１８に設けられた二つの各舌片１７ｂを折り目ｓにより折り上げると、左側の舌片１７ｂに、予め、描かれた「お内裏様」が、右側の舌片１７ｂに、予め、描かれた「お雛様」が立設する。この様にして、第一装飾板１７、第二装飾板１８及び第三装飾板１９によって、ひな壇は形成される。また、上記第一装飾板１７、第二装飾板１８及び第三装飾板１９には予めひな壇の図柄を描いておく。
【００２９】
また、これらのひな壇が不要の時は、上蓋１６を、折り目ｏにより開閉天板３上に、第三装飾板１９の係止片１９ａを開閉天板３の切り込み５に差し入れたまま、第一装飾板１７、第二装飾板１８及び第三装飾板１９の上から、これらの各装飾板１７、１８、１９と共に折り畳めば（図１において矢印で示す。）、上蓋１６、第一装飾板１７、第二装飾板１８及び第三装飾板１９は、扁平な状態となり、その後、図５に示すように、折り目ｐの中央部に設けた係止片１７ａを切り込み６に差し入れて上蓋１６を係止固定する。
【００３０】
この様に、この紙箱Ａによれば、上蓋１６を開けると、立体的にひな壇が一瞬で形成され、階段状に形成されたひな壇をおもちゃとして楽しむことが出来、また、机の上やテーブルの上などに置けば、ひな祭りの雰囲気を盛り上げてくれるものである。また、このひな壇を形成する装飾板を外して開閉天板３を開けるとケーキ等が出てくるので二重の喜びが生じる。
【００３１】
さらに、この紙箱Ａ全体を扁平な状態に折り畳むには、係止片１９ａを開閉天板３の切り込み５から外し、開閉天板３及び前側板２を折り目ａ、ｂにより、夫々開き、さらに、左右の折り込み係止板１１、１２の係止を解いて開き、左右側板７、８を各折り目ｇ、ｈにより内側に折り込みつつ、その上から、上蓋１６、後側板１３を折り目ｆにより、底板１、前側板２上に折り込む。この時、第一装飾板１７、第二装飾板１８及び第三装飾板１９も各折り目ｑ、ｒにより、上蓋１６と共に、前側板２上に折り畳まれる（図示省略）。
【００３２】
これにより、紙箱Ａは、扁平な状態に折り畳まれて、保管の際には嵩張らない。そして、この状態から紙箱Ａを組立てるには、上記折り畳む際と逆の手順を行えば簡単に組立てることが出来る。
【実施例２】
【００３３】
次に、この発明の実施例２を図に基づいて説明する。
この発明の実施例２の組立て紙箱（以下、「紙箱Ｂ」と言う。）は、図６及び図７に示すように、上蓋１６に続いて設けた装飾板を第一装飾板、第二装飾板及び第三装飾板に分割せず、一枚の第四装飾板２０を設けたものである。
【００３４】
図７に示すのは、この紙箱Ｂの展開図であり、上蓋１６の後端縁に折り目ｐを介して一枚の第四装飾板２０を設けている。この第四装飾板２０は、前後方向の長さが上蓋１６より長くなっており、また、切り込みを入れて五つの舌片を設けているのは、上記実施例１と同様であるが、「三人官女」の切りこみは、半円型ではなく、略Ｕ字型である。また、「お内裏様」と「お雛様」の略Ｖ字型の切り込みは、第四装飾板２０を上下に二分する折り目ｔから設けられている。さらに、この第四装飾板２０の先端縁には、係止片は設けておらず、開閉天板にも略Ｔ字型の切り込みは設けていない。他の構成は上記実施例１と同じである。
【００３５】
続いて、この様な紙箱Ｂを組立てる。
この紙箱Ｂの四辺の各側板及び上記各折り込み片等を各折り目により夫々内側に折り込んで底板１の周囲の各端縁に、前側板２、左側板７、右側板８、及び後側板１３を立設し、左側板７、右側板８と各折り込み片１４、１５とを夫々重ね合わせて貼着し、開閉天板３を底板１側に折り込んでこの紙箱Ｂの上部開口部を塞ぐ等は、上記実施例１と同様である。
【００３６】
上記上蓋１６を折り目ｏで折らずに、開閉天板３の後方に立設させ、当該上蓋１６に設けた第四装飾板２０を折り目ｐにより開閉天板３上に折り込み、当該第四装飾板２０の先端縁を開閉天板３上に当接させて当該第四装飾板２０を斜めに立設する。そして、図６に示すように、各舌片２０ａ、２０ｂを折り目２０ｃ、２０ｄにより立設して、「お内裏様」、「お雛様」及び「三人官女」を浮き立たせる。
【００３７】
また、これらのひな壇が不要の時は、上蓋１６を折り目ｏにより開閉天板３上に、上記第四装飾板２０の上から、当該第四装飾板２０と共に折り畳むが（図６において矢印で示す。）、この場合、第四装飾板２０が上蓋１６より長い（大きい）ので折り目ｔによって、第四装飾板２０の先端縁を折り目ｐ側に折り込んだ状態で上蓋１６と共に開閉天板３上に折り畳む（図６において白抜き矢印で示す。）。これにより、上蓋１６及び第四装飾板２０は、扁平な状態となり、その後、折り目ｐの中央部に設けた係止片２０ｅを切り込み６に差し入れて上蓋１６を係止固定する。
【００３８】
この様にして、この紙箱Ｂによれば、上蓋１６を開けると、ひな壇が現れておもちゃとして楽しむことが出来、また、机の上やテーブルの上などに置けば、ひな祭りの雰囲気を盛り上げてくれるものである。また、このひな壇を外して開閉天板３を開けるとケーキ等が出てくるので二重の喜びが生じる。
【００３９】
なお、上記実施例１において、第一装飾板１７、第二装飾板１８及び第三装飾板１９を階段状に折り込んで、形態をイメージし易いひな祭りのひな壇を形成して説明しているが、これらの各装飾板１７、１８、１９において、表わされるのは、ひな壇に限らず、クリスマスのサンタクロースとトナカイや鎧兜と鯉のぼり（端午の節句）、節分の鬼と豆まきなどでもよいし、また、季節の行事以外で、例えば、昔話を題材にした金太郎、桃太郎など何でもよい。
【００４０】
また、ボックスタイプの紙箱Ａの構成として、具体的に記載しているが、ボックスタイプの紙箱Ａの構成としては、これに限定するものではなく、他の構成のものでもよい。さらに、ボックスタイプの紙箱Ａとして、例えば、底板１、前側板２、開閉天板３及び後側板１３を角筒状に形成し、開閉天板３の折り込み片４を後側板３の内側に貼着して角筒状の外箱を設け、この後側板１３の上端縁に折り目を介して上蓋１６を設け、この上蓋１６の上端縁に折り目を介して装飾板１７を設け、この装飾板１７の背面に図柄を施し、この外箱の組立ての際、上記上蓋１６をこの紙箱の開閉天板３の後方に立設させ、この上蓋１６に設けた装飾板１７を折り目により折り込んでこの装飾板１７の先端縁を上記開閉天板３上に載置させてこの装飾板１７に施した図柄を前面に向け、さらに、この角筒状の外箱の内側を別途設けた中箱を挿入する様にしたものなどでもよい（図示省略）。また、この装飾板１７が不要の際には、この開閉天板３上に載置した装飾板１７を上蓋１６の内側に重ね、この上蓋１６をこの装飾板１７と共に折り目ｏにより開閉天板３上に起立自在に折り畳むようにするとよい。
【００４１】
さらに、実施例１において、第一装飾板１７、第二装飾板１８及び第三装飾板１９を使用して一段高くなったひな壇を形成しているが、ここで設けるひな壇としては、一段に限るものではなく、二段でも三段でも何段でもよい。また、実施例２のように、段差を設けないものでもよい。また、実施例１では、第三装飾板１９の先端縁に係止片１９ａを設け、開閉天板３に略Ｔ字型の切り込み５を設け、第三装飾板１９の係止片１９ａを当該切り込み５に差し入れて、開閉天板３上に立設した各装飾板１７、１８、１９を安定したものにしているが、これらの構成は、なくてもよい。
【００４２】
また、実施例１及び２において、第一装飾板１７、第二装飾板１８、第四装飾板２０に略Ｖ字型の切り込みを入れて舌片１７ｂ、２０ａを二つ、半円型の切り込み、略Ｕ字型の切り込みを入れて舌片１８ａ、２０ｂを三つ設けているが、舌片１７ｂ、２０ａ、１８ａ、２０ｂの数量や形状は、これらに限定するものでもなく、また、これらの舌片１７ｂ、２０ａ、１８ａ、２０ｂは、必ずしも必要と言うものではない。さらに、実施例２において、第四装飾板２０を上蓋１６より長く（大きく）設け、これらを開閉天板３上に折り畳む際、第四装飾板２０を折り目ｔにより、上蓋１６の折り目ｐ側に折り込んだ後、開閉天板３上に折り畳んでいるが、第四装飾板２０を上蓋１６より短く（小さく）設け、折り目ｔにより折り畳むことなく、そのまま、開閉天板３上に折り畳むようにしてもよい。また、実施例１及び２において、係止片１７ａ又は係止片２０ｅを切り込み６に差し入れて夫々係止固定しているが、これらの係止片１７ａ、２０ｅ及び切り込み６はなくてもよい。その場合、上記上蓋１６が開かないようにシールなどを貼っておくと良い。
【図面の簡単な説明】
【００４３】
【図１】この発明の実施例１の紙箱の上蓋を立設し、ひな壇を形成した状態を示す斜視図である。
【図２】この発明の実施例１の紙箱の展開図である。
【図３】この発明の実施例１の紙箱の左右側板及び後側板を立設し、前側板を折り込んでひな壇を設ける途中の状態を示す斜視図である。
【図４】この発明の実施例１の紙箱の上蓋を立設し、各装飾板を折り込んでひな壇を設ける途中の状態を示す斜視図である。
【図５】この発明の実施例１の紙箱の上蓋を開閉天板上に折り畳んだ状態を示す斜視図である。
【図６】この発明の実施例２の紙箱の上蓋を立設し、ひな壇を形成した状態を示す斜視図である。
【図７】この発明の実施例２の紙箱の展開図である。
【符号の説明】
【００４４】
Ａ    紙箱                                Ｂ    紙箱
１    底板                                ２    前側板
３    開閉天板                            ５    切り込み
６    切り込み                            ７    左側板
８    右側板                            １３    後側板
１６    上蓋                              １７    第一装飾板
１７ａ  係止片                            １７ｂ  舌片
１８    第二装飾板                        １８ａ  舌片
１９    第三装飾板                        １９ａ  係止片
２０    第四装飾板                        ２０ａ  舌片
２０ｂ  舌片                              ２０ｅ  係止片
【図１】
0003120192.tif 000003
【図２】
0003120192.tif 000004
【図３】
0003120192.tif 000005
【図４】
0003120192.tif 000006
【図５】
0003120192.tif 000007
【図６】
0003120192.tif 000008
【図７】
0003120192.tif 000009